(57)【要約】      （修正有）【課題】専門業者に取り付け工事を頼まず、一般の大人が設置でき、簡単でより経済的に鳩や鳥の飛来を防止し、家屋の２階・３階、マンションのベランダ等の手摺又は両隣の仕切りの境等に設置できる鳩・鳥飛来防止具を提供する。【解決手段】鳩・鳥飛来防止具１は、０．３〜５．０ｍｍの材質からなる各種色彩の樹脂製板、アクリル板、又は薄い鉄板、ステンレス板、アルミ板２を設け、その板を巾２０〜３５ｃｍ、長さ３０〜１００ｃｍの長方形に切断し、その長方形の内部に、３ケ所の折り曲げる線と抜き型で抜く複数の菱形の点線部を設けた長方形の板を先ず複数の菱形の点線部を抜き型で抜き、次に折り線に合わせての順に内側に曲げ、端部に両面テープを貼り接着し、組立てた三角形状の箱体５を形成し、該先端部を上にした複数の先端が尖った山型の箱体の下部底面部の外側に面ファスナー３を長手方向に一列に接着した、鳩・鳥飛来防止具１を製作したことを特徴とする。【選択図】図４
0003191271.tif 000002
【実用新案登録請求の範囲】
【請求項１】
本考案の鳩・鳥飛来防止具１は、０．３〜５．０ｍｍの材質からなる各種色彩の樹脂製板、アクリル板、又は薄い鉄板、ステンレス板、アルミ板等２を設け、その板２を巾２００〜３５０ｃｍ、長さ３００〜９００ｃｍの長方形に切断し、その長方形の内部に、４ケ所の折り曲げる線と複数の山形の先端部分を切断する点線を設けた長方形の板２を先ず折り線に合わせて曲げ端部を両面テープ４で組立し三角形状の箱体５を形成し、点線を入れた三角形状の上部約半分に先端部を上にした複数の先端が尖った山形で形成された三角形状の箱体５の点線部を切断した箱体５に、その下部底面部の外側にマジックテープ３を長手方向に一列又は二列に接着して、鳩・鳥飛来防止具１を製作したことを特徴とする鳩・鳥飛来防止具。
【請求項２】
本考案の鳩・鳥飛来防止具の箱体５の底部のマジックテープを剥がして、マンションや家屋のベランダの円形又は長方形の手摺、６又は両隣の堺の仕切境７の上部に山形の先端部を上に向けて貼り付け、また、マンションの巾狭い手摺には図１１を、巾広の手摺には図１２の形状で、三角形状の下部の底辺に長手方向にマジックテープ３を一列又は二列に貼り付ける事を特徴とする請求項１記載の鳩・鳥飛来防止具。
【請求項３】
本考案の鳩・鳥飛来防止具１は、マンションの丸型のパイプ手摺には図９と、図１０の形状で、上側約半分に複数の山形の先端部を上にした三角形状を設け、三角形状の箱体下部の底辺に長手方向にマジックテープ３を一列に貼り付ける事を特徴とする請求項１〜２のいずれか１項に記載の鳩・鳥飛来防止具。
【請求項４】
本考案の鳩・鳥飛来防止具は、鳩・鳥類が一般住宅のベランダ、アパート、マンション、事務所等の手摺に止まる習性を利用して、８０〜９５％の確率で鳩・鳥類の飛来防止でき、専門業者に頼まず、一般市民の大人が簡単に取り付けられ、しかも商品が安く購入できる事を特徴とする請求項１〜３のいずれか１項に記載の鳩・鳥飛来防止具。
【考案の詳細な説明】
【技術分野】
【０００１】  本発明は、マンションや家屋等のベランダ内又は手摺、両隣の堺の仕切塀に鳩や鳥が飛来し糞害等を及ぼすのを防ぐベランダ用鳩、鳥類飛来防止具に関する
【背景技術】
【０００２】  従来、マンションや家屋等のベランダ内に飛来する鳩、鳥などによる糞害等が問題になっており、これを防止するため、鳩、鳥類が視覚で忌避するという目玉模様風船を掲げることや臭覚用の忌避剤を塗布しておくことや、あるいは威嚇するため猛禽類の声や破裂音を発することが一般的におこなわれている、又、鳩や鳥類の学習能力によりその効果を持続させることが困難である。その他、回転自在に支承した横桟をベランダの手摺りに設置するもの又、鳩や鳥類がベランダの手摺りに止まることができないようにするため、ベランダの手摺りに線材架設部材を着脱自在に固定し、該部材間に線材を設け、線材には緊張用のバネが付されていて、線材の一端を着脱自在にする方法、又、手摺りの形状が断面円形の場合に線材架設部材の固定具が対応できないという欠点等があった。
【先行技術文献】
【特許文献】
【０００３】
【特許文献１】実用新案登録第３１０１２４７号
【特許文献２】実用新案登録第３０７３９７３号
【考案の概要】
【考案が解決しようとする課題】
【０００５】  以上に述べた従来の鳩・鳥飛来防止具では、近年都市部の高層、中高層住宅においては、特に鳩・鳥類が一般住宅の２階のベランダの手摺リ、マンションのベランダの手摺りは勿論のこと、ベランダ床面まで侵入し、糞をしたり、甚だしいのは巣まで作る。特に、昼間留守な共働き住宅等に於いては、この傾向は顕著である。而して、鳩・鳥類は脳炎、オウム病、クリプトコックス病、ヒストプラズマ症、ニューカッスル病、サルモネラ中毒症、その他人間にも寄生するダニ類など、病気を引き起こす病原菌乃至寄生虫を有しており、特に糞には前記のクリプトコックス病の病原菌が含まれ、糞が乾燥し、粉末化して飛散すれば、これを吸い込み呼吸器から感染するおそれが在り、特に近年では鳥インフルエンザ等で大きな社会問題になっている、これらの鳩・鳥類飛来防止具を取り付けるには、素人では困難なため、専門業者に依頼するしかなく、工事費用も高い、そこで、素人の大人でも容易にベランダの手摺に取り付けできるもので価格が安い鳩・鳥類飛来防止具が望まれている状態であり、これを実現するが目的である。【０００６】  本発明は、このような従来の住宅・マンションが生じた問題点を解決しようとするものであり、上記の欠点を解消すべくなされたもので、風等の自然に影響されず、しかも周期性・規則性のない、そしてどのような形状の手摺に対しても対応可能な鳩・鳥類飛来防止具を提供しようとするものである。即ち、鳩、鳥、カラス，雀，等の鳥類が、マンション等のベランダ内に侵入しようとしてもベランダ等の手摺に取り付けた飛来防止具のために足場が不安定となり、その飛来防止具に止まることが出来ず、ベランダ内に入ることができないようにしたものである。更に、上記類飛来防止具をベランダや塀等が円筒状あるいはコ字状、四角、長方形等いかなる形状の手摺に対しても工夫すれば設置可能であるとともに、取付・取外しが容易で安価な鳩・鳥類飛来防止具を提供しようとするものである。
【問題を解決するための手段】
【０００７】  本発明は、マンション、一戸建等で鳩・鳥類等は、その習性としてベランダ内に侵入する場合、上記手摺等に一度止まり、ベランダ内部の安全を確認してから入ってくる。そこで、鳩・鳥飛来防止具１は合成樹脂製板、アクリル板、薄い鉄板、ステンレス板、アルミ板等の平板２の上部半分位を複数の山形にした三角形状の箱体５になるように切断し鋸歯状の構造にし、下部底部にマジックテープ３をその板の底部長手方向に貼りつけ、そのマジックテープ３を狭い平面の手摺６の上面、又は住宅、マンションの左右の両隣り仕切境７の上面に貼り付ける。又、幅広のマンションの手摺（約１０ｃｍ）には合成樹脂製板、アクリル板、薄い鉄板、ステンレス板、アルミ板等の平板２の上部半分位を複数の山形にした三角形状の箱体５になるように切断し鋸歯状の構造にし、下部底部にマジックテープ３を二列にして合成樹脂製、アクリル板、薄い鉄板、ステンレス板、アルミ板等の平板２の底部長手方向の両サイドに貼りつけ、それを幅広のマンションの手摺（約１０ｃｍ）の上に貼り付ける。そのため、飛来した鳩・鳥類は、まず手摺、又、マンションにおいては隣家との境を形成する仕切り境等に容易に設置できるようにした簡単な構造のため、その固着した鳩・鳥飛来防止具１によけて止まろうとするが、その鳩・鳥類飛来防止具１の止まり防止用の合成樹脂製の鳩・鳥飛来防止具１があり邪魔してとまる事は出来ないような構造にした事を特徴とする。
【発明の効果】
【００１０】  本考案による鳩・鳥類飛来防止具によれば、手摺等に固着するための支持部材に合成樹脂製板、アクリル板、薄い鉄板、ステンレス板、アルミ板等の平板２の上部半分位を複数の山形にした三角形状の箱体で上部を切断し鋸歯状の構造にの三角形の箱体で鳩・鳥が止まることが出来ず飛び去って行く。また、チャンネル形状の物に鳩・鳥飛来防止具をマジックテープを貼りつけ、使用したことで、手摺等に容易に脱着可能にする事も可能になったため、ベランダの手摺等に従来と変わりなく箱体を外して布団等を干すことが可能である。
【図面の簡単な説明】
【００１３】
【図１】本考案の正面図
【図２】本考案の右側面図
【図３】本考案の平面図
【図４】本考案の斜視図
【図５】本考案の展開図
【図６】本考案の展開右側面図
【図７】本考案の展開平面図
【図８】本考案の幅広の右側面図
【図９】本考案の手すりが丸パイプの取り付け方法実施例Ａ
【図１０】本考案の手すりが丸パイプの取り付け方法実施例Ｂ
【図１１】本考案の手すりが四角パイプの取り付け方法Ａ
【図１２】本考案の手すりが四角パイプの取り付け方法Ｂ
【図１３】本考案の両隣り仕切境
【図１４】本考案の複数の山形がない三角形状の斜視図
【図１５】本考案の手摺の上部に鳩・鳥類飛来防止具をマジックテープで接着した実施図
【考案を実施するための形態】
【００１４】  本考案の鳩・鳥飛来防止具は、柔軟な材質からなる各種色彩の樹脂製板、アクリル板、又は薄い鉄板、ステンレス板、アルミ板等を設け、その板を巾２００〜３５０ｃｍ、長さ３００〜９００ｃｍの長方形に切断し、その長方形長手方向に、４ケ所の折り曲げる線を設け、長方形の板を三角形に形成し、三角形の上部約半分に先端部を上にした複数の先端が尖った山形で形成された板を折り線に合わせて曲げ両面テープで端部を貼り箱体になるように組立し、その下部底面部にマジックテープを長手方向に一列又は二列に接着して、鳩・鳥飛来防止具を製作し、マンションや家屋のベランダの手摺り又は両隣の堺の仕切境にマジックテープ剥がして、複数の先端が尖った山形で形成された三角形状の箱体を上に向けて貼り付ける事を特徴とする鳩・鳥飛来防止具であり、その鳩・鳥飛来防止具は、マンションの巾狭い手摺には図１１を、巾広の手摺には図１２の形状で、上側約半分に複数の山形の先端部を上にした三角形状の箱体を設け、その三角形状の下部の底辺に長手方向にマジックテープ３を一列又は二列に貼り付ける事を特徴とする。
又、鳩・鳥飛来防止具は、マンションの丸型のパイプ手摺には図９、図１０の形状で、上側約半分に複数の山形の先端部を上にした三角形状の箱体を設け、三角形状の下部の底辺に長手方向にマジックテープを一列に貼り付ける事を特徴とする鳩・鳥飛来防止具で工夫すれば、どんな形状でも大人の素人が取り付けでき、しかも安価に鳩・鳥類の飛来予防ができる簡単な構造である。
【符号の説明】
【００１５】１  鳩・鳥類飛来防止具
２  樹脂製板、アクリル板、薄い鉄板、ステンレス板、アルミ板等
３  マジックテープ
４  両面テープ
５  複数の山形で形成された三角形状の箱体
６  手摺り
７  両隣り仕切境
８  Ａ型形状板（マンションの巾狭い手摺用）
９  Ｂ型形状板（マンションの巾広の手摺用）
【図１】
0003191271.tif 000003
【図２】
0003191271.tif 000004
【図３】
0003191271.tif 000005
【図４】
0003191271.tif 000006
【図５】
0003191271.tif 000007
【図６】
0003191271.tif 000008
【図７】
0003191271.tif 000009
【図８】
0003191271.tif 000010
【図９】
0003191271.tif 000011
【図１０】
0003191271.tif 000012
【図１１】
0003191271.tif 000013
【図１２】
0003191271.tif 000014
【図１３】
0003191271.tif 000015
【図１４】
0003191271.tif 000016
【図１５】
0003191271.tif 000017
【手続補正書】
【提出日】平成26年3月25日(2014.3.25)
【手続補正１】
【補正対象書類名】実用新案登録請求の範囲
【補正対象項目名】全文
【補正方法】変更
【補正の内容】
【実用新案登録請求の範囲】
【請求項１】
鳩・鳥飛来防止具（１）は、０．３〜５．０ｍｍの材質からなる各種色彩の樹脂製板、アクリル板、又は薄い鉄板、ステンレス板、アルミ板（２）を設け、その板（２）を巾２０〜３５ｃｍ、長さ３０〜１００ｃｍの長方形に切断し、その長方形の内部に、３ケ所の折り曲げる線（６）、（７）、（８）と抜き型で抜く複数の菱形の点線部（９）を設けた長方形の板（２）を先ず複数の菱形の点線部（９）を抜き型で抜き、次に折り線に合わせて（６）、（７）、（８）の順に内側に曲げ、端部に両面テープ（４）を貼り接着し、組立てた三角形状の箱体（５）を形成し、該先端部を上にした複数の先端が尖った山型の箱体（５）の下部底面部の外側に面ファスナー（３）を長手方向に一列に接着した、鳩・鳥飛来防止具（１）を製作したことを特徴とする鳩・鳥飛来防止具。
【請求項２】
鳩・鳥飛来防止具の箱体（５）の底部の面ファスナー（３）を剥がして、マンションや家屋のベランダの丸型パイプ又は長方形の手摺、（１０）又は両隣の仕切境、（１１）の上部に山型の先端部を上に向けて手摺又は境の幅に合わせて貼り付ける事を特徴とする請求項１記載の鳩・鳥飛来防止具。
【請求項３】
鳩・鳥飛来防止具（１）は、マンションの丸型のパイプの手摺にはチャンネルタイプの形状、又はアングル形状を面ファスナー（３）で丸型パイプに直接取付け固定し、複数の山形の先端部を上にした三角形状の本体（５）底部に面ファスナー（３）を貼り付ける事を特徴とする請求項１〜２のいずれか１項に記載の鳩・鳥飛来防止具。
【請求項４】
鳩・鳥飛来防止具の底部に面ファスナーを貼り、台風などの風の強い日、布団を干す時に鳩・鳥飛来防止具を取り外しが出来、又、布団を干した際に、布団の上に外した鳩・鳥飛来防止具を取り付ける事で、布団の上面を鳩・鳥飛来防止具で守れる事を特徴とする請求項１〜３のいずれか１項に記載の鳩・鳥飛来防止具。
【手続補正２】
【補正対象書類名】明細書
【補正対象項目名】全文
【補正方法】変更
【補正の内容】
【考案の詳細な説明】
【技術分野】
【０００１】  本考案は、マンションや家屋等のベランダ内又は手摺、両隣の堺の仕切塀に鳩や鳥が飛来し糞害等を及ぼすのを防ぐベランダ用鳩、鳥類飛来防止具に関する。
【背景技術】
【０００２】  従来、マンションや家屋等のベランダ内に飛来する鳩、鳥などによる糞害等が問題になっており、これを防止するため、鳩、鳥類が視覚で忌避するという目玉模様風船を掲げることや臭覚用の忌避剤を塗布しておくことや、あるいは威嚇するため猛禽類の声や破裂音を発することが一般的におこなわれている、又、鳩や鳥類の学習能力によりその効果を持続させることが困難である。その他、回転自在に支承した横桟をベランダの手摺りに設置するもの又、鳩や鳥類がベランダの手摺りに止まることができないようにするため、ベランダの手摺りに線材架設部材を着脱自在に固定し、該部材間に線材を設け、線材には緊張用のバネが付されていて、線材の一端を着脱自在にする方法、又、手摺りの形状が断面円形の場合に線材架設部材の固定具が対応できないという欠点等があった。
【先行技術文献】
【特許文献】
【０００３】
【特許文献１】実用新案登録第３１０１２４７号
【特許文献２】実用新案登録第３０７３９７３号
【考案の開示】
【考案が解決しようとする課題】
【０００４】  以上に述べた従来の鳩・鳥飛来防止具では、近年都市部の高層、中高層住宅においては、特に鳩・鳥類が一般住宅の２階のベランダの手摺リ、マンションのベランダの手摺りは勿論のこと、ベランダ床面まで侵入し、糞をしたり、甚だしいのは巣まで作る。特に、昼間留守な共働き住宅等に於いては、この傾向は顕著である。又、鳩・鳥類は脳炎、オウム病、クリプトコックス病、ヒストプラズマ症、ニュ−カッスル病、サルモネラ中毒症、その他人間にも寄生するダニ類など、病気を引き起こす病原菌乃至寄生虫を有しており、特に糞には前記のクリプトコックス病の病原菌が含まれ、糞が乾燥し、粉末化して飛散すれば、これを吸い込み呼吸器から人間に感染するおそれが在り、特に近年では鳥インフルエンザ等で大きな社会問題になっている、これらの鳩・鳥類飛来防止具を取り付けるには、素人では困難なため、専門業者に依頼するしかなく、工事費用も高い、そこで、素人の大人でも容易にベランダの手摺に取り付けできるもので価格が安い鳩・鳥類飛来防止具が望まれている状態であり、これを実現するのが目的である。【０００５】  本考案は、このような従来の住宅・マンションが生じた問題点を解決しようとするものであり、上記の欠点を解消すべくなされたもので、風等の自然に影響されず、しかも周期性・規則性のない、そしてどのような形状の手摺に対しても対応可能な鳩・鳥類飛来防止具を提供しようとするものである。即ち、鳩、鳥、雀等の鳥類が、マンション等のベランダ内に侵入しようとしてもベランダ等の手摺に取り付けた飛来防止具のために足場が不安定となり、その飛来防止具に止まることが出来ず、ベランダ内に入ることができないようにしたものである。更に、上記類飛来防止具をベランダや塀等が円筒状あるいはコ字状、四角、長方形等いかなる形状の手摺に対しても工夫すれば設置可能であるとともに、嵐、又は布団を干す時には、専門業者に頼らず、個人で取付・取外しが容易で安価に制作でき、販売価格も安い鳩・鳥類飛来防止具を提供しようとするものである。
【問題を解決するための手段】
【０００６】  本考案は、マンション、一戸建等で鳩・鳥類等は、その習性としてベランダ内に侵入する場合、上記手摺等に一度止まり、ベランダ内部の安全を確認してからベランダの中に入ってくる。そこで、鳩・鳥飛来防止具（１）は合成樹脂製板、アクリル板、薄い鉄板、ステンレス板、アルミ板等の平板（２）を巾２０〜３５ｃｍ、長さ３０〜１００ｃｍの長方形に切断し、その長方形の内部に、３ケ所の折り曲げる線（６）、（７）、（８）、と抜き型で抜く複数の菱形の点線部（９）を設けた長方形の板（２）を先ず複数の菱形の点線部（９）を抜き型で抜き、次に折り線に合わせて（６）、（７）、（８）、の順に内側に曲げ、下部に両面テープ（４）を貼り接着し、組立てた三角形状の箱体（５）を形成し、該先端部を上にした複数の先端が尖った山型の箱体（５）の下部底面部の外側に面ファスナー（３）を長手方向に一列に接着した、鳩・鳥飛来防止具（１）を製作したことを特徴とする鳩・鳥飛来防止具（１）で、その鳩・鳥飛来防止具（１）の底辺の面ファスナー（３）を剥がしてマンションの丸型パイプ又は長方形の手摺（１０）又は住宅、マンションの左右の両隣り仕切境（１１）等の上面に貼り付ける。
そのため、本鳩・鳥飛来防止具（１）は手摺、又、マンションにおいては隣家との仕切境等に容易に設置できるようにした簡単な構造のため、飛来した鳩・鳥類はその固着した鳩・鳥飛来防止具（１）をよけて止まろうとするが、鳩・鳥類飛来防止具１の止まり防止用の合成樹脂製の鳩・鳥飛来防止具（１）があり邪魔してとまる事は出来ないような構造にした事を特徴とする。
【考案の効果】
【０００７】  本考案による鳩・鳥類飛来防止具によれば、手摺等に固着するための支持部材に合成樹脂製板、アクリル板、薄い鉄板、ステンレス板、アルミ板等の平板（２）の上部半分位を複数の山形にした三角形状の箱体で上部を切断し鋸歯状の構造の三角形の箱体で鳩・鳥が止まることが出来ず飛び去って行く。また、チャンネル形状の物に鳩・鳥飛来防止具に面ファスナーを貼りつけ、使用したことで、手摺等に容易に脱着可能にする事も可能になったため、ベランダの手摺等に従来と変わりなく箱体を外して布団等を干すことが可能であり、又、布団の平面両サイドにメンファスナーを取り付けておき、布団を干した状態の上に鳩・鳥飛来防止具を取り付ければ、布団を干した上に鳩、鳥がとまらず防止できる。この鳩・鳥飛来防止具は、鳩・鳥が一般住宅のベランダ、アパート、マンション、事務所等の手摺に止まる習性を利用して、８０〜９５％の確率で鳩・鳥飛来防止でき、専門業者に頼まず、一般市民の大人が簡単に取り付けられ、しかも商品が安く購入できる事を最大の特徴とする鳩・鳥飛来防止具。
【考案を実施するための形態】
【０００８】  本考案の鳩・鳥飛来防止具は、柔軟な材質からなる各種色彩の樹脂製板、アクリル板、又は薄い鉄板、ステンレス板、アルミ板を設け、その板を巾２０〜３５ｃｍ、長さ３０〜１００ｃｍの長方形に切断し、その長方形長手方向に、４ケ所の折り曲げる線を設け、長方形の板を三角形に形成し、三角形の上部約半分に先端部を上にした複数の先端が尖った山形で形成された板を折り線に合わせて曲げ両面テープで端部を貼り箱体になるように組立し、その下部底面部に面ファスナーを長手方向に一列に接着して、鳩・鳥飛来防止具を製作し、マンションや家屋のベランダの手摺り又は両隣の堺の仕切境に面ファスナーを剥がして、複数の先端が尖った山形で形成された三角形状の箱体を上に向けて貼り付ける事を特徴とする鳩・鳥飛来防止具であり、その鳩・鳥飛来防止具は、マンションの巾狭い手摺には図１１のチャンネル型Ａを、巾広の手摺には図１２チャンネル型Ａの形で、上側約半分に複数の山形の先端部を上にした三角形状の箱体を設け、その三角形状の下部の底辺に長手方向に面ファスナー３を一列に貼り付ける事を特徴とする。
又、鳩・鳥飛来防止具は、マンションの丸型のパイプ手摺には図９のチャンネル型Ａ、又は図１０のアングル形Ｂで、上側約半分に複数の山形の先端部を上にした三角形状の箱体を設け、三角形状の下部の底辺に長手方向に面ファスナーを一列に貼り付ける事を特徴とする鳩・鳥飛来防止具で工夫すれば、どんな形状でも大人の素人が取り付けでき、しかも安価に鳩・鳥類の飛来予防ができる簡単な構造である。
【図面の簡単な説明】
【０００９】
【図１】正面図
【図２】右側面図
【図３】平面図
【図４】斜視図
【図５】展開図
【図６】展開右側面図
【図７】展開平面図
【図８】巾広の右側面図
【図９】丸パイプ手摺への取り付方法チャンネル型Ａ
【図１０】丸パイプ手摺への取り付方法アングル型Ｂ
【図１１】巾狭い手摺への側面取り付方法チャンネル型Ａ
【図１２】巾広の手摺側面取り付方法チャンネル型Ａ
【図１３】仕切境への側面取り付方法直方型Ｃ
【図１４】他の形状の斜視図
【図１５】実施図
【符号の説明】
【００１０】１    鳩・鳥類飛来防止具
２    樹脂製板、アクリル板、薄い鉄板、ステンレス板、アルミ板
３    面ファスナー
４    両面テープ
５    複数の山形で形成された三角形状の箱体
６    折り曲げ線Ａ
７    折り曲げ線Ｂ
８    折り曲げ線Ｃ
９    菱形の点線部
１０  長方形の手摺、
１１  両隣り仕切境、
【手続補正３】
【補正対象書類名】図面
【補正対象項目名】図５
【補正方法】変更
【補正の内容】
【図５】
0003191271.tif 000018